(57)【要約】【課題】表示部の大画面化による画面の視認性の向上、操作部の操作性の向上および装置の小型化を図ることができると共に、読取画像の劣化を防止することができる画像形成装置を提供する。【解決手段】この画像形成装置２０１は、画像読取部１０１の内部に配置され、複数の操作対象画像および該操作対象画像を選択するための移動画像が表示される表示部１０２と、移動画像を移動操作する操作部１０３とを備える。また、画像形成装置２０１は、表示部１０２での移動画像の位置を検知する表示画像位置検知手段２０４と、該表示画像位置検知手段２０４により検知された移動画像の位置にある操作対象画像の内容を確定する表示画像選択確定手段２０５と、を備える。【選択図】図３
2008283359.tif 000002
【特許請求の範囲】
【請求項１】
原稿の画像を読み取る画像読取部と、
前記画像読取部の内部に配置され、複数の操作対象画像および該操作対象画像を選択するための移動画像が表示される表示部と、
前記画像読取部の外部に配置され、前記移動画像を移動操作する操作部と、を備える、
ことを特徴とする画像形成装置。
【請求項２】
前記表示部での前記移動画像の位置を検知する表示画像位置検知手段と、
該表示画像位置検知手段により検知された前記移動画像の位置にある前記操作対象画像の内容を確定する表示画像選択確定手段と、を備える、
ことを特徴とする請求項１に記載の画像形成装置。
【請求項３】
前記表示画像選択確定手段により確定された前記操作対象画像の内容に基づいて前記表示部の表示内容を更新する表示制御手段を備える、
ことを特徴とする請求項２に記載の画像形成装置。
【請求項４】
前記表示部は、前記画像読取部の底部の全面或いは一部に配置されるか、または、該画像読取部の側部の全面或いは一部に配置される、
ことを特徴とする請求項１に記載の画像形成装置。
【請求項５】
前記操作部は、前記画像読取部の原稿台ガラスの周辺に配置され、操作位置側から見て上下、左右、前後の操作により、前記表示部の前記移動画像を移動操作する、
ことを特徴とする請求項１に記載の画像形成装置。
【請求項６】
前記表示画像位置検知手段は、前記操作部の左右、前後の操作を前記表示部のＸ座標とＹ座標との位置として検知する、
ことを特徴とする請求項５に記載の画像形成装置。
【請求項７】
前記表示画像選択確定手段は、前記操作部の上下の操作を前記表示部のＺ座標の位置として検知し、
該操作部の下方向の操作を検知したときに、前記表示画像位置検知手段により検知された前記移動画像の位置にある前記操作対象画像の内容を確定する、
ことを特徴とする請求項５に記載の画像形成装置。
【請求項８】
前記操作部は、前記表示部の上方位置にある物体の画像位置を認識する画像認識手段を備え、
前記画像認識手段により認識された物体の位置情報に基づいて前記移動画像を移動操作する、
ことを特徴とする請求項２に記載の画像形成装置。
【請求項９】
前記表示画像位置検知手段は、前記画像認識手段により認識された前記物体の位置情報を前記表示部のＸ座標とＹ座標との位置として検知する、
ことを特徴とする請求項８に記載の画像形成装置。
【請求項１０】
前記表示画像選択確定手段は、前記画像認識手段により認識された前記物体の画像位置の静止時間を測定し、
該測定された静止時間に基づいて前記表示画像位置検知手段により検知された前記移動画像の位置にある前記操作対象画像の内容を確定する、
ことを特徴とする請求項８に記載の画像形成装置。
【請求項１１】
原稿の画像を読み取る画像読取部と、該画像読取部の内部に配置され、複数の操作対象画像および該操作対象画像を選択するための移動画像が表示される表示部と、該画像読取部の外部に配置され、前記移動画像を移動操作する操作部と、を備える画像形成装置を制御する方法であって、
前記表示部での前記移動画像の位置を検知する表示画像位置検知ステップと、
該表示画像位置検知ステップにより検知された前記移動画像の位置にある前記操作対象画像の内容を確定する表示画像選択確定ステップと、を備える
ことを特徴とする画像形成装置の制御方法。
【発明の詳細な説明】
【技術分野】
【０００１】
本発明は、例えば、原稿の画像を読み取るスキャナ等の画像読取部を備える画像形成装置および画像形成装置の制御方法に関する。
【背景技術】
【０００２】
従来、複写機や複合機等の画像形成装置では、装置の操作に関する諸情報を表示するための表示部や装置に対して操作を指示するための操作部等を原稿読取部の周辺に設けたものがある。
【０００３】
また、近年の画像形成装置においては、操作性を向上させる為に、例えば表示部をカラー化したものや表示部に外圧力を検知できるタッチパネル機能を持たせたものもある。
【０００４】
しかし、これらの画像形成装置は、原稿読取部の周辺に操作部および表示部を配置する必要であるために、装置の大型化を招く原因になる。
【０００５】
そこで、原稿読取部の原稿台ガラス全面又は一部を液晶タッチパネル化して表示部及び操作部とし、大画面による視認性および操作性の向上を図るとともに、原稿読取装置周辺で使用されていたスペースを不要して小型化を図った画像形成装置が提案されている。
【０００６】
例えば、散乱型液晶デバイスを原稿台ガラスの全面又は一部に用いた画像形成装置が提案されている（特許文献１）。
【０００７】
この画像形成装置は、装置を電子写真機能として使用するときには、制御手段により散乱型液晶デバイスを電圧非印加の状態にして透明状態としている。一方、装置からの操作情報を表示させる投写表示機能として装置を使用するときには、制御手段により散乱型液晶デバイスを電圧印加の状態にして白濁状態とし、原稿台ガラス面を透過型のスクリーンとして用いている。
【０００８】
また、原稿台ガラスの全部または一部を液晶パネルで構成し、該液晶パネルの上に画像を入力可能なタッチパネルを重ねて配置した画像形成装置が提案されている（特許文献２）。
【０００９】
この画像形成装置は、タッチペン等でタッチパネルに入力した文字や図形等の画像を液晶パネルに表示して、該表示画像を複写することができるとしている。
【特許文献１】特開平８−９５３５２号公報
【特許文献２】特開平１０−２６０４８３号公報
【発明の開示】
【発明が解決しようとする課題】
【００１０】
しかし、上記特許文献１および２のように、原稿台ガラスを液晶タッチパネルとした場合には、画像読取時の透過光量の減衰や、直接原稿台ガラスを触る事による原稿台ガラスの汚れ等により画像読取時の画像が劣化する原因になる。
【００１１】
そこで、本発明は、表示部の大画面化による画面の視認性の向上、操作部の操作性の向上および装置の小型化を図ることができると共に、読取画像の劣化を防止することができる画像形成装置および画像形成装置の制御方法を提供することを目的とする。
【課題を解決するための手段】
【００１２】
上記目的を達成するために、本発明の画像形成装置は、原稿の画像を読み取る画像読取部と、前記画像読取部の内部に配置され、複数の操作対象画像および該操作対象画像を選択するための移動画像が表示される表示部と、該画像読取部の外部に配置され、前記移動画像を移動操作する操作部と、を備えることを特徴とする。
【００１３】
本発明の画像形成装置の制御方法は、原稿の画像を読み取る画像読取部と、該画像読取部の内部に配置され、複数の操作対象画像および該操作対象画像を選択するための移動画像が表示される表示部と、該画像読取部の外部に配置され、前記移動画像を移動操作する操作部と、を備える画像形成装置を制御する方法であって、前記表示部での前記移動画像の位置を検知する表示画像位置検知ステップと、該表示画像位置検知ステップにより検知された前記移動画像の位置にある前記操作対象画像の内容を確定する表示画像選択確定ステップと、を備えることを特徴とする。
【発明の効果】
【００１４】
本発明によれば、表示部の大画面化による画面の視認性の向上、操作部の操作性の向上および装置の小型化を図ることができると共に、透過光量の減衰や原稿台ガラスの汚れ等による読取画像の劣化を防止することができる。
【発明を実施するための最良の形態】
【００１５】
以下、本発明の実施の形態を図を参照して説明する。
【００１６】
（第１の実施形態）
図１は、本発明の第１の実施形態である画像形成装置に設けられる画像読取部の一例を示す図である。
【００１７】
図１において、画像読取部１０１は、内部に原稿台ガラス１０４を通して視認可能な例えば液晶表示板等の表示部１０２を有する。表示部１０２には、不図示の操作対象画像（例えば、読取開始ボタン、拡大／縮小ボタン、スタートボタン、停止ボタン等）が表示されるようになっており、これらの操作対象画像の操作を操作スイッチ（操作部）１０３により行なう。なお、本実施形態では、画像読取部１０１の原稿台ガラス１０４の下方の領域の一部に表示部１０２を配置しているが、表示部１０２を原稿台ガラス１０４の下方の領域の全面に配置するようにしてもよい。
【００１８】
操作スイッチ１０３は、表示部１０２の操作対象画像の位置検知用及び操作対象画像の選択確定用として用いられる。表示部１０２が画像読取部１０１の内部に設けられているのに対し、操作スイッチ１０３は画像読取部１０１の外部に設けられている。具体的には、操作スイッチ１０３は、本実施形態では、図２（ａ）に示すように、原稿台ガラス１０４のユーザの操作位置側（手前側）の周辺部に設けられている。
【００１９】
また、操作スイッチ１０３は、図２（ｂ）に示すように、ユーザの操作位置側から見て前後方向（図２（ｂ）の上下方向）と左右方向（図２（ｂ）の左右方向）とに交差する略十字状に形成されている。
【００２０】
そして、操作スイッチ１０３の左右方向の左側の操作部１０３ａを操作することにより、表示部１０２に表示された例えばマーカー（移動画像）Ａが左方向（図２（ｂ）の左方向）に移動する。また、操作スイッチ１０３の左右方向の右側の操作部１０３ｂを操作することにより、マーカーＡが右方向（図２（ｂ）の右方向）に移動する。
【００２１】
また、操作スイッチ１０３の前後方向の前側の操作部１０３ｃを操作することにより、マーカーＡが前方向（図２（ｂ）の上方向）に移動し、後側の操作部１０３ｄを操作することにより、マーカーＡが後方向（図２（ｂ）の下方向）に移動する。ここで、本実施形態では、図２（ａ）の左右方向をＸ座標方向とし、図２（ａ）の上下方向をＹ座標方向する。
【００２２】
このように、操作スイッチ１０３でマーカーＡの位置をＸ座標方向およびＹ座標方向に移動操作することにより、マーカーＡを表示部１０２の所望の操作対象画像の位置に合わせて該画像を選択する。
【００２３】
また、選択した操作対象画像の内容を確定する場合は、例えば、操作スイッチ１０３の略中央部を下方（図２（ｂ）の紙面に直交する方向（図２（ｃ）のＺ座標方向））に押し操作する。これにより、図２において、例えば、表示部１０２の操作対象画像の位置に合わせたマーカーＡの座標は（Ｘ１，０）と（０，Ｙ１）でから（Ｘ１，Ｙ１）と認識し、選択した操作対象画像の内容が確定される。
【００２４】
次に、図３を参照して、本発明の第１の実施形態である画像形成装置について説明する。
【００２５】
本実施形態の画像形成装置２０１は、上述した画像読取部１０１と、画像形成部２０７と、操作スイッチ１０３、表示部１０２、画像読取部１０１および画像形成部２０７を制御する制御部２０２とを備える。
【００２６】
制御部２０２は、表示画像位置検知部（表示画像位置検知手段）２０４、表示画像選択確定部（表示画像選択確定手段）２０５、および表示制御部（表示制御手段）２０６を有する。
【００２７】
画像読取部１０１の操作スイッチ１０３によって移動操作されたマーカーＡの位置情報（Ｘ座標、Ｙ座標の位置情報）を表示画像位置検知部２０４で検知し、操作スイッチ１０３が押されたか否かの情報を表示画像選択確定部２０５で検知する。表示画像選択確定部２０５は、操作スイッチ１０３が押された場合は、マーカーＡの位置にある操作対象画像を確定する。確定した操作対象画像の内容は表示制御部２０６で認識され、表示制御部２０６は該認識結果に基づいて表示部１０２の表示内容を更新する。
【００２８】
そして、必要な場合は、更新された表示部１０２の表示内容に基づいてユーザは操作スイッチ１０３等を用いて次の操作を行う。また、制御部２０２は、最終的に確定した動作条件に基づいて、画像読取部１０１および画像形成部２０７の動作を制御する。
【００２９】
次に、図４を参照して、画像形成装置２０１の内部構造を説明する。
【００３０】
まず、画像読取部１０１について説明する。画像読取部１０１は、原稿自動送り装置２３０を備えており、原稿自動送り装置２３０は、複数枚の原稿を一枚ずつ給紙し、給紙された原稿は原稿台ガラス１０４に順次セットされる。原稿台ガラス１０４のユーザの操作位置側の周辺には、操作用スイッチ１０３が配置され、画像読取部１０１の内部の原稿台ガラス１０４の下方位置には、表示部１０２が配置されている。
【００３１】
原稿照明ランプ１０６は、例えばハロゲンランプから構成され、原稿台ガラス１０４にセットされた原稿を露光する。走査ミラー１０８，１０９，１１０は、不図示の光学走査ユニットに収容され、図４の左右方向に往復移動しながら原稿からの反射光をＣＣＤユニット１０５に導く。
【００３２】
ＣＣＤユニット１０５は、撮像素子としてのＣＣＤ（不図示）と、原稿からの反射光をＣＣＤ（不図示）に結像させる結像レンズ（不図示）と、ＣＣＤ（不図示）を駆動するＣＣＤドライバ（不図示）等から構成されている。そして、ＣＣＤ（不図示）からの画像信号は、例えば８ビットのデジタルデータに変換された後、制御部２０２に入力され、該制御部２０２で画像処理や装置全体の制御を行う。
【００３３】
次に、画像形成部２０７について説明する。画像形成部２０７は、感光ドラム２１４を備えており、感光ドラム２１４の表面は画像形成に備えて前露光ランプ２１２により除電される。帯電器２１１は、感光ドラム２１４の表面を一様に帯電させる。露光手段２１０は、半導体レーザ等で構成され、制御部２０２で処理された画像データに基づき感光ドラム２１４を露光して、静電潜像を形成する。現像器２０９は、本実施形態では、黒色の現像剤（トナー）が収容されている。転写前帯電器２１５は、感光ドラム２１４に現像されたトナー像をシート（記録紙）に転写する前に高電圧を印加する。
【００３４】
給紙カセット２２８に収容されたシートは、給紙ローラ２２７の駆動により搬送路に給送される。搬送路に給送されたシートは、レジストローラ２２６の位置で一旦停止し、感光ドラム２１４に形成された画像の書き出しタイミングと同期して転写位置まで搬送される。転写帯電器２１７は、感光ドラム２１４に現像されたトナー像を転写位置に搬送されたシートに転写する。分離帯電器２１６は、転写が終了したシートを感光ドラム２１４から分離する。尚、転写されずに感光ドラム２１４に残ったトナーはクリーナ２１３によって回収される。
【００３５】
搬送ベルト２１８は、上述した転写プロセスの終了したシートを定着器２１９に搬送する。そして、シートに転写されたトナー画像は定着器２１９により加熱されてシートに定着される。フラッパ２２０は、定着器２１９を通過したシートの搬送方向を機外に排紙する方向、又は両面パス２３１に搬送する方向に切り換える。
【００３６】
給送ローラ２２１，２２２，２２３，２２４は、フラッパ２２０により搬送方向を両面パス２３１側に切り換えられたシートを両面パス２３１に反転又は非反転の状態で給送する。再給送ローラ２２５は、両面パス２３１に給送されたシートを再度レジストローラ２２６の位置まで搬送する。排紙トレイ２２９は、機外に排紙されたシートを積載する。そして、制御部２０２は、マイクロコンピュータおよび画像処理部等を備えており、表示部１０２と操作スイッチ１０３からの指示に従って、画像形成部２０７を制御して所定の画像形成動作を行う。
【００３７】
次に、図５を参照して、本発明の第１の実施形態である画像形成装置の動作例について説明する。なお、図５での各処理は、画像形成装置のＲＯＭやハードディスク等に記憶されたプログラムがＲＡＭにロードされて、制御部２０２のＣＰＵ等により実行される。
【００３８】
まず、ステップＳ１０１では、操作スイッチ１０３のＸ座標方向、Ｙ座標方向の操作により表示部１０２のマーカーＡのＸ，Ｙ座標に変化があるかを判断し、変化がある場合は、ステップＳ１０２に移行する。
【００３９】
ステップＳ１０２では、表示部１０２に表示されたマーカーＡのＸ，Ｙ座標を特定してステップＳ１０３に移行し、ステップＳ１０３では、操作スイッチ１０３がＺ座標方向に押し操作されたか否かを判断する。
【００４０】
ステップＳ１０３で、操作スイッチ１０３がＺ座標方向に押し操作されたと判断されると、ステップＳ１０４に移行して、マーカーＡの位置の操作対象画像の内容を確定し、ステップＳ１０５に移行する。
【００４１】
ステップＳ１０５では、操作対象画像が例えばスタートボタン等のように装置の動作開始を指示する内容であるか否かを判断し、動作開始指示である場合は、ステップＳ１０６に移行し、画像読取部１０１及び画像形成部２０７を制御して画像形成動作を開始する。
【００４２】
ステップＳ１０５で、操作対象画像の内容が装置の動作開始の指示でない場合は、ステップＳ１０７に移行し、操作対象画像が例えば拡大／縮小ボタン等のように動作条件を指示する内容か否かを判断する。
【００４３】
ステップＳ１０７で、操作対象画像の内容が動作条件の指示でない場合は、ステップＳ１０１に戻り、操作対象画像の内容が動作条件の指示である場合は、ステップＳ１０８に移行する。
【００４４】
ステップＳ１０８では、表示制御部２０６を制御して表示部１０２の内容を操作内容に応じて更新し、ステップＳ１０９に移行する。
【００４５】
ステップＳ１０９では、動作条件が確定したか否かを判断し、確定していない場合は、ステップＳ１０１に戻って上記処理を繰り返し、確定している場合は、ステップＳ１０６に移行し、画像読取部１０１及び画像形成部２０７を制御して画像形成動作を開始する。
【００４６】
以上説明したように、本実施形態では、原稿台ガラス１０４を通して視認可能な表示部１０２を画像読取部１０１の内部に設け、表示部１０２に表示された操作対象画像の操作を画像読取部１０１の外部に設けられた操作スイッチ１０３により行なっている。
【００４７】
これにより、表示部１０２の大画面化による画面の視認性の向上、操作性の向上及び装置の小型化を図ることができると共に、原稿台ガラス１０４の透過光量の減衰や原稿台ガラス１０４の汚れ等による読取画像の劣化を防止することができる。
【００４８】
なお、本実施形態では、表示部１０２に液晶表示板を用いた場合を例示したが、ユーザが原稿台ガラス１０４を通して認識でるものであれば、特に限定されない。例えば、表示部１０２として、ＣＲＴ、電子ペーパー等を用いてもよく、また、表示部１０２を画像読取部１０１の底部ではなく、側部に配置してもよい。
【００４９】
また、本実施形態では、操作部として略十字形状の操作スイッチ１０３を例示したが、これに代えて、操作部として、例えば、タッチパッド、ＪＯＧダイヤル、ＪＯＹスティック、マウス、トラックボール等を用いてもよい。
【００５０】
更に、本実施形態では、電子写真方式の画像形成装置に本発明を適用した場合を例示したが、これに代えて、インクジェット方式や熱転写方式等の画像形成装置に本発明を適用してもよい。
【００５１】
（第２の実施形態）
次に、図６〜図１０を参照して、本発明の第２の実施形態である画像形成装置について説明する。
【００５２】
図６は、本発明の第２の実施形態である画像形成装置に設けられる画像読取部の一例を示す図である。
【００５３】
図６において、画像読取部１０１は、内部に原稿台ガラス１０４を通して視認可能な例えば液晶表示板等の表示部１０２を有する。表示部１０２には、不図示の操作対象画像（例えば、読取開始ボタン、拡大／縮小ボタン、スタートボタン、停止ボタン等）が表示されるようになっている。そして、これらの操作対象画像の操作を２台の赤外線カメラ（画像認識手段）１１１，１１２によって表示部１０２上での人の指（物体）の位置を認識することにより行う。なお、本実施形態では、画像読取部１０１の原稿台ガラス１０４の下方の領域の一部に表示部１０２を配置しているが、表示部１０２を原稿台ガラス１０４の下方の領域の全面に配置するようにしてもよい。
【００５４】
赤外線カメラ１１１，１１２は、画像読取部１０１内の表示部１０２の互いに対向する角部近傍にそれぞれ配置されており、表示部１０２の上方位置での人の指の動きを位置情報として検知するために用いられる。
【００５５】
すなわち、図７において、赤外線カメラ１１１，１１２によって撮像された表示部１０２の上方位置での指Ｂの画像情報を基に、指Ｂの距離及び角度を検知し、該検知情報から表示部１０２上の指Ｂの位置（Ｘ座標、Ｙ座標）を認識する。そして、該認識結果を基に、表示部１０２に表示された不図示のマーカー（移動画像）が、表示部１０２上の指の位置に応じて表示部１０２の画面を移動するように表示制御部２０６（図８参照）によって制御される。なお、図７では、指Ｂとマーカーとの位置が一致しているため、マーカーは不図示となっている。
【００５６】
このように、表示部１０２の上方位置で指を動かしてマーカーの位置を移動操作することにより、マーカーを表示部１０２の所望の操作対象画像の位置に合わせて該画像を選択する。
【００５７】
また、選択した操作対象画像の内容を確定する場合は、例えば、赤外線カメラ１１１，１１２が捕らえた指Ｂの画像の静止時間Ｔがある一定時間Ｔ０を超えた場合に、表示部１０２上で選択された操作対象画像の内容が確定したものと判断する。
【００５８】
次に、図８を参照して、本発明の第２の実施形態である画像形成装置について説明する。
【００５９】
本実施形態の画像形成装置２０１は、上述した画像読取部１０１と、画像形成部２０７と、赤外線カメラ１１１，１１２、表示部１０２、画像読取部１０１および画像形成部２０７を制御する制御部２０２とを備える。
【００６０】
制御部２０２は、表示画像位置検知部２０４、表示画像選択確定部２０５、および表示制御部２０６を有する。また、制御部２０２は、マイクロコンピュータおよび画像処理部等を備えており、表示部１０２と赤外線カメラ１１１，１１２からの情報に基づいて、画像形成部２０７を制御して所定の画像形成動作を行う。
【００６１】
表示画像位置検知部２０４は、赤外線カメラ１１１，１１２が捕らえた指の画像から指の距離と角度を割り出し、表示部１０２上のどの位置に指があるかを位置情報（Ｘ座標、Ｙ座標の位置）として検知する。また、表示画像選択確定部２０５では、赤外線カメラ１１１，１１２が捕らえた画像の静止時間Ｔを測定して、該静止時間Ｔが一定時間Ｔ０を超えた場合（Ｔ＞Ｔ０）に、マーカーの位置にある操作対象画像を確定する。確定した操作対象画像の内容は表示制御部２０６で認識され、表示制御部２０６は該認識結果に基づいて表示部１０２の表示内容を更新する。
【００６２】
そして、必要な場合は、更新された表示部１０２の表示内容に基づいて、ユーザは次の操作を行う。また、制御部２０２は、最終的に確定した動作条件に基づいて、画像読取部１０１および画像形成部２０７の動作を制御する。
【００６３】
図９は、本発明の第２の実施形態である画像形成装置の内部構造を示す図である。本実施形態では、構造的には、上記第１の実施形態の操作スイッチに代えて、画像読取部１０１内に赤外線カメラ１１１，１１２を配置した点が相違するだけであるため、図に同一符号を付してその説明を省略する。
【００６４】
次に、図１０を参照して、本発明の第２の実施形態である画像形成装置の動作例について説明する。なお、図１０での各処理は、画像形成装置のＲＯＭやハードディスク等に記憶されたプログラムがＲＡＭにロードされて、制御部２０２のＣＰＵ等により実行される。
【００６５】
まず、ステップＳ２０１では、表示部１０２の上方位置に指等の画像があるか否かを判断する。ステップＳ２０１で、指等の画像がある場合は、ステップＳ２０２で、指等の画像位置（Ｘ座標，Ｙ座標）を特定し、ステップＳ２０３で、表示部１０２のマーカーのＸ／Ｙ座標を特定し、ステップＳ２０４に移行する。
【００６６】
ステップＳ２０４では、表示部１０２の上方位置での指等の画像の静止時間Ｔが一定時間Ｔ０を超えたか否かを判断し、超えた場合（Ｔ＞Ｔ０）は、ステップＳ２０５で、マーカーの位置の操作対象画像の内容を確定し、ステップＳ２０６に移行する。
【００６７】
ステップＳ２０６では、操作対象画像が例えばスタートボタン等のように装置の動作開始を指示する内容であるか否かを判断し、動作開始指示である場合は、ステップＳ２０７に移行し、画像読取部１０１及び画像形成部２０７を制御して画像形成動作を開始する。
【００６８】
ステップＳ２０６で、操作対象画像の内容が装置の動作開始の指示でない場合は、ステップＳ２０８に移行し、操作対象画像が例えば拡大／縮小ボタン等のように動作条件を指示する内容か否かを判断する。
【００６９】
ステップＳ２０８で、操作対象画像の内容が動作条件の指示でない場合は、ステップＳ２０１に戻り、操作対象画像の内容が動作条件の指示である場合は、ステップＳ２０９に移行する。
【００７０】
ステップＳ２０９では、表示制御部２０６を制御して表示部１０２の内容を操作内容に応じて更新し、ステップＳ２１０に移行する。
【００７１】
ステップＳ２１０では、動作条件が確定したか否かを判断し、確定していない場合は、ステップＳ２０１に戻って上記処理を繰り返し、確定している場合は、ステップＳ２０７に移行し、画像読取部１０１及び画像形成部２０７を制御して画像形成動作を開始する。
【００７２】
以上説明したように、本実施形態では、原稿台ガラス１０４を通して視認可能な表示部１０２を画像読取部１０１の内部に設けている。また、表示部１０２に表示された操作対象画像の操作を、２台の赤外線カメラ１１１，１１２によって表示部１０２上での人の指等の位置を認識することにより行なっている。
【００７３】
これにより、表示部１０２の大画面化による画面の視認性の向上、操作性の向上および装置の小型化を図ることができると共に、原稿台ガラス１０４の透過光量の減衰や原稿台ガラス１０４の汚れ等による読取画像の劣化を防止することができる。
【００７４】
なお、本実施形態では、表示部１０２に液晶表示板を用いた場合を例示したが、ユーザが原稿台ガラス１０４を通して認識でるものであれば、特に限定されない。例えば、表示部１０２として、ＣＲＴ、電子ペーパー等を用いてもよく、また、表示部１０２を画像読取部１０１の底部ではなく、側部に配置してもよい。
【００７５】
また、本実施形態では、画像認識手段として赤外線カメラを例示したが、これに限定されず、表示部１０２上での指等の位置を検知可能な光、静電気、電界、磁界等を利用したセンサを用いてもよい。
【００７６】
更に、本実施形態では、電子写真方式の画像形成装置に本発明を適用した場合を例示したが、これに代えて、インクジェット方式や熱転写方式等の画像形成装置に本発明を適用してもよい。
【００７７】
なお、本発明は、上記各実施形態に例示したものに限定されるものではなく、本発明の要旨を逸脱しない範囲において適宜変更可能である。
【図面の簡単な説明】
【００７８】
【図１】本発明の第１の実施形態である画像形成装置に設けられる画像読取部の一例を示す図であり、（ａ）は平面図、（ｂ）は（ａ）の正面側から見た断面図である。
【図２】図１に示す画像読取部の操作例を説明するための図であり、（ａ）は画像読取部の平面図、（ｂ）は操作スイッチの平面図、（ｃ）は（ｂ）の正面図である。
【図３】本発明の第１の実施形態である画像形成装置の制御部を説明するためのブロック図である。
【図４】本発明の第１の実施形態である画像形成装置の内部構造を説明するための概略断面図である。
【図５】本発明の第１の実施形態である画像形成装置の動作例を説明するためのフローチャート図である。
【図６】本発明の第２の実施形態である画像形成装置に設けられる画像読取部の一例を示す図であり、（ａ）は平面図、（ｂ）は（ａ）の正面側から見た断面図である。
【図７】図６に示す画像読取部の操作例を説明するための図であり、（ａ）は画像読取部の平面図、（ｂ）は（ａ）の正面側から見た断面図である。
【図８】本発明の第２の実施形態である画像形成装置の制御部を説明するためのブロック図である。
【図９】本発明の第２の実施形態である画像形成装置の内部構造を説明するための概略断面図である。
【図１０】本発明の第２の実施形態である画像形成装置の動作例を説明するためのフローチャート図である。
【符号の説明】
【００７９】
１０１  画像読取部
１０２  表示部
１０３  操作スイッチ（操作部）
１０４  原稿台ガラス
１１１，１１２  赤外線カメラ（画像認識手段）
２０１  画像形成装置
２０２  制御部
２０４  表示画像位置検知部（表示画像位置検知手段）
２０５  表示画像選択確定部（表示画像選択確定手段）
２０６  表示制御部（表示制御手段）
Ａ      マーカー（移動画像）
Ｂ      指（物体）
【図１】
2008283359.tif 000003
【図２】
2008283359.tif 000004
【図３】
2008283359.tif 000005
【図４】
2008283359.tif 000006
【図５】
2008283359.tif 000007
【図６】
2008283359.tif 000008
【図７】
2008283359.tif 000009
【図８】
2008283359.tif 000010
【図９】
2008283359.tif 000011
【図１０】
2008283359.tif 000012